(57)【要約】【課題】成型時に寸法に狂いが生じても、箱本体に蓋体を確実に取り付けることができるとともに、蓋体が箱本体から脱落することを防止できる箱体を提供する。【解決手段】箱体１は互いに直列に接続される複数のバッテリを収容して電源装置を構成する。箱体１は箱本体２と蓋体３とスライド取付手段４を備えている。箱本体２には開口部７が設けられている。蓋体３は箱本体２に取り付けられると開口部７を塞ぐ。スライド取付手段４は蓋体３の表面に沿う矢印Ｓに沿って該蓋体３をスライドさせて箱本体２に取り付ける。【選択図】図１
2006117292.tif 000002
【特許請求の範囲】
【請求項１】
開口部が設けられた箱本体と、板状に形成されかつ前記箱本体に取り付けられるとともに前記箱本体に取り付けられると前記開口部を塞ぐ蓋体と、を備えた箱体において、
前記蓋体の表面に沿って、スライドすることで、前記蓋体を前記箱本体に取り付けるスライド取付手段を備えたことを特徴とする箱体。
【請求項２】
前記スライド取付手段は、
前記蓋体と前記箱本体とのそれぞれの前記スライド方向の一端部に設けられた第１の固定部と、
前記蓋体と前記箱本体とのそれぞれの前記スライド方向の他端部に設けられた第２の固定部と、
を備え、
前記第１の固定部は、前記蓋体の前記箱本体に対するスライド方向を案内するとともに、前記蓋体が前記箱本体に取り付けられると前記蓋体が前記スライド方向に沿って更にスライドすることを許容しかつ前記箱本体から前記蓋体が離れることを規制し、
前記第２の固定部は、前記蓋体が前記箱本体に取り付けられると前記蓋体が前記スライド方向に沿って更にスライドすることを規制しかつ前記箱本体から前記蓋体が離れることを規制することを特徴とする請求項１記載の箱体。
【請求項３】
前記第１の固定部は、
前記蓋体の前記一端部と前記箱本体の前記一端部とのうち一方に設けられ、前記スライド方向に沿って延在しているとともに、前記スライド方向の一方の端が開口した貫通溝と、
前記蓋体の前記一端部と前記箱本体の前記一端部とのうち他方に設けられ、かつ前記他方から前記一方に向かって延在した立設片と、前記蓋体の表面に沿って前記立設片から延在した板片と、を有した押さえ部と、
を備え、
前記貫通溝の一方の端の開口を通して、前記貫通溝内に前記立設片を挿入し、前記他方と前記板片との間に前記一方を位置付けて、前記蓋体を前記箱本体に取り付けることを特徴とする請求項２記載の箱体。
【請求項４】
前記第１の固定部は、貫通溝の一方の端に向かうにしたがって、前記貫通溝の幅を徐々に広くするテーパ面を備えたことを特徴とする請求項３記載の箱体。
【請求項５】
前記第２の固定部は、
前記蓋体の前記他端部と前記箱本体の前記他端部とのうち一方に設けられた一対の孔と、
前記蓋体の前記他端部と前記箱本体の前記他端部とのうち他方に設けられ、他方から互いに交差する方向に突出し、かつ前記蓋体を前記箱本体に取り付けると、前記孔内に侵入する一対の突起と、
を備えたことを特徴とする請求項２ないし請求項４のうちいずれか一項に記載の箱体。
【発明の詳細な説明】
【技術分野】
【０００１】
本発明は、電気自動車やハイブリットカーなどに搭載されるバッテリなどを収容する箱体に関する。
【背景技術】
【０００２】
近年、環境にやさしい自動車として用いられてきた内燃機関と電動機との双方の動力で走行可能なハイブリットカーや電気自動車などには、円滑な走行を実現するために、高電圧、高出力な電源が必要とされている。高電圧及び高出力な電源を確保するために、比較的小型なバッテリを複数直列に接続して構成される電源装置が提案されている。
【０００３】
前述した電源装置は、互いに直列に接続される複数（多数）のバッテリと、これらのバッテリを収容する図１５及び図１６に示された箱体１００を備えている。図１５及び図１６に例示された箱体１００は、箱状の箱本体１０１と、板状の蓋体１０２を備えている。
【０００４】
箱本体１０１は、絶縁性の合成樹脂からなる。箱本体１０１には、該箱本体１０１内にバッテリを出し入れする開口部１０３が設けられている。また、箱本体１０１内には、互いに等間隔に配された仕切壁１０４が複数設けられている。箱本体１０１は、互いに隣り合う仕切壁１０４間にバッテリを一つずつ収容する。蓋体１０２は、絶縁性の合成樹脂からなる。蓋体１０２は、箱本体１０１に取り付けられると、前述した開口部１０３を塞ぐ。
【０００５】
前述した箱体１００は、前記蓋体１０２を前記箱本体１０１に取り付けるための複数の係止突起１０５と、係止孔１０６と、を備えている。係止突起１０５は、箱本体１０１の図１５及び図１６中上下に位置する互いの間に前述した開口部１０３を位置付ける両縁それぞれに設けられている。係止突起１０５は、前述した箱本体１０１の両縁から凸に形成されている。それぞれの縁では、係止突起１０５は、直線上に並べられている。
【０００６】
係止孔１０６は、蓋体１０２の図１５及び図１６中上下に位置する両縁部それぞれに設けられている。係止孔１０６は、蓋体１０２を貫通している。それぞれの縁部では、係止孔１０６は、直線上に並べられている。
【０００７】
前述した箱体１００は、蓋体１０２の表面に対し直交する方向としての矢印Ｊ（図１６に示す）に沿って、蓋体１０２を前述した開口部１０３則ち箱本体１０１に近づける。そして、前述した係止孔１０６内に係止突起１０５を位置付けて、係止突起１０５と係止孔１０６とを互いに係止させる。こうして、蓋体１０２を箱本体１０１に取り付ける。
【発明の開示】
【発明が解決しようとする課題】
【０００８】
前述した箱体１００の箱本体１０１と蓋体１０２は、それぞれ、合成樹脂からなるため、周知の射出成型法によって、製造される。一方、前述した箱本体１０１と蓋体１０２は、箱体１００内に多数のバッテリを収容するため、大型化する傾向であった。
【０００９】
このため、前述した箱本体１０１と蓋体１０２は、成型時に寸法に狂いが生じ、例えば、係止突起１０５間の間隔Ｄ１（図１６に示す）が係止孔１０６間の間隔Ｄ２（図１６に示す）より大きくなり過ぎたり、前記間隔Ｄ１が前記間隔Ｄ２より小さくなり過ぎることがあった。前述した間隔Ｄ１が、間隔Ｄ２より大きくなり過ぎると、係止突起１０５を係止孔１０６に係止しにくくなり、蓋体１０２を箱本体１０１に取り付けることができなくなる。前述した間隔Ｄ１が、間隔Ｄ２より小さくなり過ぎると、係止突起１０５が係止孔１０６から外れやすくなり、蓋体１０２が箱本体１０１から脱落しやすくなる。
【００１０】
したがって、本発明の目的は、成型時に寸法に狂いが生じても、箱本体に蓋体を確実に取り付けることができるとともに、蓋体が箱本体から脱落することを防止できる箱体を提供することにある。
【課題を解決するための手段】
【００１１】
前述した課題を解決し目的を達成するために、請求項１に記載の本発明の箱体は、開口部が設けられた箱本体と、板状に形成されかつ前記箱本体に取り付けられるとともに前記箱本体に取り付けられると前記開口部を塞ぐ蓋体と、を備えた箱体において、前記蓋体の表面に沿って、スライドすることで、前記蓋体を前記箱本体に取り付けるスライド取付手段を備えたことを特徴としている。
【００１２】
請求項２に記載の本発明の箱体は、請求項１に記載の箱体において、前記スライド取付手段は、前記蓋体と前記箱本体とのそれぞれの前記スライド方向の一端部に設けられた第１の固定部と、前記蓋体と前記箱本体とのそれぞれの前記スライド方向の他端部に設けられた第２の固定部と、を備え、前記第１の固定部は、前記蓋体の前記箱本体に対するスライド方向を案内するとともに、前記蓋体が前記箱本体に取り付けられると前記蓋体が前記スライド方向に沿って更にスライドすることを許容しかつ前記箱本体から前記蓋体が離れることを規制し、前記第２の固定部は、前記蓋体が前記箱本体に取り付けられると前記蓋体が前記スライド方向に沿って更にスライドすることを規制しかつ前記箱本体から前記蓋体が離れることを規制することを特徴としている。
【００１３】
請求項３に記載の本発明の箱体は、請求項２に記載の箱体において、前記第１の固定部は、前記蓋体の前記一端部と前記箱本体の前記一端部とのうち一方に設けられ、前記スライド方向に沿って延在しているとともに、前記スライド方向の一方の端が開口した貫通溝と、前記蓋体の前記一端部と前記箱本体の前記一端部とのうち他方に設けられ、かつ前記他方から前記一方に向かって延在した立設片と、前記蓋体の表面に沿って前記立設片から延在した板片と、を有した押さえ部と、を備え、前記貫通溝の一方の端の開口を通して、前記貫通溝内に前記立設片を挿入し、前記他方と前記板片との間に前記一方を位置付けて、前記蓋体を前記箱本体に取り付けることを特徴としている。
【００１４】
請求項４に記載の本発明の箱体は、請求項３に記載の箱体において、前記第１の固定部は、貫通溝の一方の端に向かうにしたがって、前記貫通溝の幅を徐々に広くするテーパ面を備えたことを特徴としている。
【００１５】
請求項５に記載の本発明の箱体は、請求項２ないし請求項４のうちいずれか一項に記載の箱体において、前記第２の固定部は、前記蓋体の前記他端部と前記箱本体の前記他端部とのうち一方に設けられた一対の孔と、前記蓋体の前記他端部と前記箱本体の前記他端部とのうち他方に設けられ、他方から互いに交差する方向に突出し、かつ前記蓋体を前記箱本体に取り付けると、前記孔内に侵入する一対の突起と、を備えたことを特徴としている。
【００１６】
請求項１に記載した本発明の箱体によれば、蓋体の表面に沿って、箱本体に対し蓋体をスライドして、該蓋体を箱本体に取り付ける。このため、製造時の寸法に狂いが生じて、蓋体が箱本体に対し小さくなりすぎても、スライド取付手段が、蓋体を箱本体にスライドさせることができ、該蓋体を箱本体に取り付けることができる。
【００１７】
また、製造時の寸法に狂いが生じて、蓋体が箱本体に対し大きくなりすぎても、スライド取付手段により、蓋体を通常より多くスライドすることとなり、該蓋体を箱本体に取り付けることができる。これにより、製造時の寸法に狂いが生じて、蓋体が箱本体に対し大きくなりすぎても、取り付けた後に蓋体が箱本体から脱落することを防止できる。
【００１８】
請求項２に記載した本発明の箱体によれば、第１の固定部が、蓋体のスライド方向を案内しかつ蓋体のスライドを許容するので、蓋体が箱本体に対し大きくなりすぎても又は小さくなりすぎても、蓋体を箱本体に確実に取り付けることができる。また、第２の固定部が、蓋体を箱本体に取り付けると該蓋体が更にスライドすることを規制する。このため、蓋体が箱本体に対し大きくなりすぎても又は小さくなりすぎても、蓋体が箱本体から脱落することを防止できる。さらに、第１及び第２の固定部が、蓋体の表面の交差する方向に沿って、蓋体が箱本体から離れることを防止するので、蓋体が箱本体から脱落することを防止できる。
【００１９】
請求項３に記載した本発明の箱体によれば、第１の固定部が貫通溝と立設片を備えているので、蓋体が箱本体に対し大きくなりすぎても又は小さくなりすぎても、第１の固定部が蓋体のスライド方向を確実に案内でき、該蓋体を箱本体に確実に取り付けることができる。また、第１の固定部が立設片から延在した板片を備えているので、第１の固定部が蓋体の表面の交差する方向に沿って、蓋体が箱本体から離れることを確実に防止でき、蓋体が箱本体から脱落することを確実に防止できる。
【００２０】
請求項４に記載した本発明の箱体によれば、テーパ面を備えているので、貫通溝内に立設片を挿入し易くなる。
【００２１】
請求項５に記載した本発明の箱体によれば、第２の固定部が、互いに交差する二方向に沿って突出した一対の係止突起と、前記係止突起が侵入する係止孔を備えている。このため、第２の固定部が、蓋体を箱本体に取り付けると該蓋体が更にスライドすることを確実に規制でき、蓋体が箱本体から脱落することを確実に防止できる。
【発明の効果】
【００２２】
請求項１に記載の本発明は、製造時の寸法に狂いが生じて、蓋体が箱本体に対し小さくなりすぎても、蓋体を箱本体に確実に取り付けることができる。
【００２３】
また、製造時の寸法に狂いが生じて、蓋体が箱本体に対し大きくなりすぎても、取り付けた後に蓋体が箱本体から脱落することを防止できる。
【００２４】
請求項２に記載の本発明は、第１の固定部が、蓋体のスライド方向を案内しかつ蓋体のスライドを許容するので、製造時の寸法に狂いが生じても蓋体を箱本体に確実に取り付けることができる。また、第２の固定部が、蓋体を箱本体に取り付けると該蓋体が更にスライドすることを規制するので、製造時の寸法に狂いが生じても蓋体が箱本体から脱落することを防止できる。さらに、第１及び第２の固定部が、蓋体の表面の交差する方向に沿って、蓋体が箱本体から離れることを防止するので、製造時の寸法に狂いが生じても蓋体が箱本体から脱落することを防止できる。
【００２５】
請求項３に記載の本発明は、第１の固定部が貫通溝と立設片を備えているので、製造時の寸法に狂いが生じても第１の固定部が蓋体のスライド方向を確実に案内でき、該蓋体を箱本体に確実に取り付けることができる。また、第１の固定部が立設片から延在した板片を備えているので、第１の固定部が、蓋体が箱本体から離れることを確実に防止でき、蓋体が箱本体から脱落することを確実に防止できる。
【００２６】
請求項４に記載の本発明は、テーパ面を備えているので、貫通溝内に立設片を挿入し易くなる。このため、蓋体を容易に箱本体に取り付けることができる。
【００２７】
請求項５に記載の本発明は、第２の固定部が、互いに交差する二方向に沿って突出した一対の係止突起と、前記係止突起が侵入する係止孔を備えている。このため、第２の固定部が、製造時の寸法に狂いが生じても蓋体を箱本体に取り付けると該蓋体が更にスライドすることを確実に規制でき、蓋体が箱本体から脱落することを確実に防止できる。
【発明を実施するための最良の形態】
【００２８】
本発明の一実施の形態にかかる箱体１を、図１ないし図１１に基づいて説明する。箱体１は、図１に示すように、箱状の箱本体２と、板状の蓋体３と、スライド取付手段４を備えている。
【００２９】
箱本体２は、絶縁性の合成樹脂からなり、周知の射出成型法などにより成型されて得られる。箱本体２は、互いに連なる複数の周壁５と、フランジ壁６とを備えて、箱状に形成されている。箱本体２には、該箱本体２内にバッテリなどの収容物を出し入れする開口部７が設けられている。開口部７は、勿論、箱本体２の内外を連通している。
【００３０】
フランジ壁６は、周壁５の開口部７寄りに縁に連なっている。フランジ壁６は、前述した開口部７を囲むとともに、後述するように蓋体３が箱本体２に取り付けられると、該蓋体３の本体部９と平行になる。フランジ壁６上に前述した蓋体３の本体部９が重なる。
【００３１】
また、箱本体２内には、互いに等間隔に配された仕切壁８が複数設けられている。箱本体２は、互いに隣り合う仕切壁８間に前述したバッテリなどの収容物を一つずつ収容する。
【００３２】
蓋体３は、絶縁性の合成樹脂からなり、周知の射出成型法などにより成型されて得られる。蓋体３は、図１及び図２に示すように、平板状の本体部９と、この本体部９の縁から立設した立設板部１０とを備えている。立設板部１０は、本体部９の後述の矢印Ｓの後方側の縁から立設している（後述の他端部３ｂに設けられている）。蓋体３は、スライド取付手段４により、箱本体２に取り付けられる。
【００３３】
蓋体３は、箱本体２に取り付けられると、本体部９が前述したフランジ壁６上に重なりかつ前述した開口部７を塞ぐ。さらに、蓋体３が、箱本体２に取り付けられると、立設板部１０は、箱本体２の後述の他端部２ｂ側の一つの周壁５（以下、符号５ａで示す）に重なる。
【００３４】
スライド取付手段４は、前述した蓋体３の表面に沿う矢印Ｓ（図１、図８及び図９に示し、これらの図では、上方から下方に向かう方向）に沿って、蓋体３を箱本体２に相対的に移動して、箱本体２に蓋体３を取り付ける。なお、矢印Ｓは、蓋体３の箱本体２に対するスライド方向をなしている。スライド取付手段４は、第１の固定部１１と、第２の固定部１２と、を備えている。
【００３５】
第１の固定部１１は、図１ないし図３に示すように、複数の貫通溝１３と、複数の押さえ部１４と、を備えている。貫通溝１３は、蓋体３の前述した矢印Ｓの前方側に位置する一端部３ａに設けられている。複数の貫通溝１３は、蓋体３の一端部３ａに、矢印Ｓに対し直交（交差）する方向に沿って、互いに等間隔に設けられている。貫通溝１３は、蓋体３が箱本体２に取り付けられると、仕切壁８に重なる。
【００３６】
貫通溝１３は、図４に示すように、勿論蓋体３の本体部９を貫通しているとともに、矢印Ｓに沿って直線状に延びている。また、貫通溝１３は、蓋体３の本体部９の外縁に開口している。このため、貫通溝１３は、矢印Ｓの一方の端が開口している。また、貫通溝１３には、一対のテーパ面１５が設けられている。
【００３７】
テーパ面１５は、貫通溝１３が開口した蓋体３の本体部９の外縁に連なり、該外縁から矢印Ｓの逆向きに延びている。テーパ面１５は、貫通溝１３が開口した蓋体３の本体部９の外縁に向かうにしたがって則ち貫通溝１３の矢印Ｓの一方の端に向かうにしたがって、徐々に貫通溝１３の幅を広げる方向に、前述した矢印Ｓに対し傾斜している。則ち、テーパ面１５は、貫通溝１３の矢印Ｓの一方の端に向かうにしたがって、徐々に貫通溝１３の幅を広くする。
【００３８】
押さえ部１４は、箱本体２の前述した矢印Ｓの前方側に位置する一端部２ａに設けられている。なお、蓋体３の一端部３ａと、箱本体２の一端部２ａとは、箱本体２に蓋体３が取り付けられると、互いに重なる。複数の押さえ部１４は、箱本体２の一端部２ａに、矢印Ｓに対し直交（交差）する方向に沿って、互いに等間隔に設けられている。押さえ部１４は、仕切壁８に重なる。
【００３９】
押さえ部１４は、図３及び図５に示すように、前述した箱本体２の一端部２ａに位置するフランジ壁６から矢印Ｓの逆向きに箱本体２に取り付けられる蓋体３に向かって延在した立設片１６と、立設片１６に連なりかつ箱本体２に取り付けられる蓋体３の表面に沿って該立設片１６の外方向に延びた板片１７とを備えている。さらに、立設片１６は、フランジ壁６から凸に形成されている。則ち、立設片１６は、箱本体２の一端部２ａから該一端部２ａに重なる蓋体３の一端部３ａに向かって凸に形成されている。板片１７は、平板状に形成されている。板片１７は、図６に示すように、前述したフランジ壁６より箱本体２の外側に配されている。板片１７は、フランジ壁６と平行に配されている。
【００４０】
前述した第１の固定部１１は、前述した一方の端の開口を通して、貫通溝１３内に立設片１６を挿入し、図３及び図５に示すように、箱本体２の一端部２ａのフランジ壁６と板片１７との間に蓋体３の一端部３ａを位置付けて、蓋体３の一端部３ａと箱本体２の一端部２ａとを固定する。こうして、第１の固定部１１は、蓋体３を箱本体２に取り付ける。
【００４１】
また、第１の固定部１１は、貫通溝１３内に立設片１６を挿入するので、蓋体３を箱本体２に取り付ける際に、蓋体３を矢印Ｓに沿ってスライドさせる。このように、第１の固定部１１は、蓋体３を箱本体２に取り付ける際に、蓋体３の箱本体２に対するスライド方向を案内する。さらに、第１の固定部１１は、蓋体３が箱本体２に取り付けられると、箱本体２と板片１７との間に蓋体３を位置付けるので、蓋体３の表面の交差する方向に沿って、蓋体３が箱本体２から離れることを規制する。
【００４２】
前述した蓋体３と箱本体２とが前述した成型時に正規の寸法で製造されて、第１の固定部１１が蓋体３の一端部３ａと箱本体２の一端部２ａとを互いに固定すると、図３に示すように、立設片１６と貫通溝１３の奥面１３ａとが矢印Ｓに沿って互いに間隔をあける。このように、第１の固定部１１は、箱本体２に蓋体３が取り付けられると、箱本体２に対し蓋体３が矢印Ｓに沿って更にスライドすることを許容するとともに、該矢印Ｓに対し交差する方向に沿って箱本体２と蓋体３とが相対的に変位することを規制する。
【００４３】
第２の固定部１２は、図１に示すように、複数対の孔１８ａ，１８ｂと、複数対の突起１９ａ，１９ｂとを備えている。則ち、第２の固定部１２は、一対の孔１８ａ，１８ｂと一対の突起１９ａ，１９ｂとを少なくとも備えている。複数対の孔１８ａ，１８ｂは、蓋体３の前述した矢印Ｓの後方側に位置する他端部３ｂに、矢印Ｓに対し直交（交差）する方向に沿って、互いに等間隔に設けられている。孔１８ａ，１８ｂは、蓋体３が箱本体２に取り付けられると、仕切壁８に重なる。
【００４４】
孔１８ａ，１８ｂのうち一方の孔１８ａは、蓋体３の本体部９に設けられている。他方の孔１８ｂは、前述した蓋体３の本体部９と立設板部１０とに亘って設けられている。孔１８ａ，１８ｂは、それぞれ、蓋体３の他端部３ｂを貫通している。また、一対の孔１８ａ，１８ｂは、矢印Ｓに沿って互いに並べられている。
【００４５】
複数対の突起１９ａ，１９ｂは、箱本体２の前述した矢印Ｓの後方側に位置する他端部２ｂに、矢印Ｓに対し直交（交差）する方向に沿って、互いに等間隔に設けられている。なお、蓋体３の他端部３ｂと、箱本体２の他端部２ｂとは、箱本体２に蓋体３が取り付けられると、互いに重なる。突起１９ａ，１９ｂは、蓋体３が箱本体２に取り付けられると、仕切壁８に重なる。
【００４６】
突起１９ａ，１９ｂのうち一方の突起１９ａは、図７に示すように、箱本体２の前述した他端部２ｂに位置するフランジ壁６から箱本体２の外側に向かって突出している。他方の突起１９ｂは、前述した箱本体２の他端部２ｂに位置するフランジ壁６に連なる周壁５ａから箱本体２の外側に向かって突出している。このため、一対の突起１９ａ，１９ｂは、箱本体２の他端部２ｂから互いに交差する方向に突出している。
【００４７】
前述した第２の固定部１２は、一方の孔１８ａ内に一方の突起１９ａが侵入し、他方の孔１８ｂ内に他方の突起１９ｂが侵入して、蓋体３の他端部３ｂと箱本体２の他端部２ｂとを固定する。こうして、第２の固定部１２は、蓋体３の立設板部１０を周壁５ａの外側に重ねた格好で、蓋体３を箱本体２に取り付ける。
【００４８】
また、第２の固定部１２は、蓋体３の立設板部１０を周壁５ａの外側に重ねた格好で、蓋体３を箱本体２に取り付け、一方の突起１９ａが一方の孔１８ａ内に侵入するので、蓋体３を箱本体２に取り付けると、該蓋体３が更に矢印Ｓに沿ってスライドすることを規制する。
【００４９】
さらに、第２の固定部１２は、蓋体３が箱本体２に取り付けられると、他方の突起１９ｂが他方の孔１８ｂ内に侵入するので、蓋体３の表面に交差する方向に沿って、蓋体３が箱本体２から離れることを規制する。このように、第２の固定部１２は、孔１８ａ，１８ｂに突起１９ａ，１９ｂが侵入することで、これらが互いに係止して、蓋体３の他端部３ｂと箱本体２の他端部２ｂとを互いに固定する。
【００５０】
また、前述した蓋体３には、複数の直線状孔２０が設けられている。直線状孔２０は、勿論、蓋体３の本体部９を貫通している。また、直線状孔２０は、矢印Ｓに沿って、直線状に延びている。また、一対の直線状孔２０が、矢印Ｓに沿って、互いに並べられている。さらに、これら一対の直線状孔２０は、矢印Ｓに沿って、前述した孔１８ａ，１８ｂと貫通溝１３との双方と並べられている。
【００５１】
前述した構成の箱本体２は、前述した仕切壁８間に小型のバッテリなどを収容する。そして、バッテリが互いに直列に接続される。そして、前述した箱体１は、以下に示すように、箱本体２に蓋体３が取り付けられて、内燃機関と電動機との双方で走行可能なハイブリットカーや電気自動車に搭載される電源装置を構成する。
【００５２】
前述した構成の箱本体２に蓋体３を取り付ける際には、まず、図８に示すように、貫通溝１３と押さえ部１４とが互いに間隔をあけ、かつ箱本体２の他端部２ｂ側の周壁５ａと蓋体３の立設板部１０とが互いに間隔をあけて、開口部７を塞ぐように箱本体２に蓋体３の本体部９を被せる。このとき、図９に示すように、貫通溝１３の長手方向に沿って、貫通溝１３と押さえ部１４とを並べる。
【００５３】
そして、貫通溝１３の長手方向に沿って、貫通溝１３と押さえ部１４とを互いに近づけ、かつ箱本体２の他端部２ｂ側の周壁５ａと蓋体３の立設板部１０とを互いに近づける。則ち、蓋体３の表面に沿う矢印Ｓに沿って、箱本体２に対し蓋体３をスライドさせる。そして、突起１９ａが一旦弾性変形するなどして、貫通溝１３内に立設片１６が侵入し、蓋体３の一端部３ａが箱本体２と板片１７との間に挟まれ、孔１８ａ，１８ｂ内に突起１９ａ，１９ｂが侵入して、蓋体３が箱本体２に取り付けられる。
【００５４】
本実施形態によれば、蓋体３の表面に沿って、箱本体２に対し蓋体３をスライドして、該蓋体３を箱本体２に取り付ける。さらに、第１の固定部１１が、蓋体３を箱本体２に取り付けた後、矢印Ｓに沿って蓋体３が箱本体２に対し移動することを許容している。このため、製造時の寸法に狂いが生じて、蓋体３が箱本体２に対し小さくなりすぎても、スライド取付手段４が、蓋体３を箱本体２にスライドさせることができ、該蓋体３を箱本体２に取り付けることができる。
【００５５】
則ち、蓋体３が箱本体２に対し小さくなりすぎても、図１０に示すように、立設片１６と貫通溝１３の奥面１３ａとが図３に示す正規の状態より離れる。したがって、蓋体３が箱本体２に対し小さくなりすぎても、蓋体３を箱本体２に確実に取り付けることができる。
【００５６】
また、製造時の寸法に狂いが生じて、蓋体３が箱本体２に対し大きくなりすぎても、スライド取付手段４により、蓋体３を正規の状態より多くスライドすることとなり、該蓋体３を箱本体２に取り付けることができる。さらに、製造時の寸法に狂いが生じて、蓋体３が箱本体２に対し大きくなりすぎても、スライド取付手段４が、蓋体３の表面に沿ってスライドさせて、該蓋体３を箱本体２に取り付けるので、取り付けた後に蓋体３が箱本体２から脱落することを防止できる。
【００５７】
則ち、蓋体３が箱本体２に対し大きくなりすぎても、図１１に示すように、立設片１６と貫通溝１３の奥面１３ａとが図３に示す正規の状態より近づく。したがって、蓋体３が箱本体２に対し大きくなりすぎても、蓋体３を箱本体２に確実に取り付けることができるとともに、蓋体３が箱本体２から脱落することを防止できる。
【００５８】
第１の固定部１１が、蓋体３のスライド方向を案内するので、該蓋体３を箱本体２に確実に取り付けることができる。また、第２の固定部１２が、蓋体３を箱本体２に取り付けると該蓋体３が更に矢印Ｓに沿ってスライドすることを規制する。このため、蓋体３が箱本体２から脱落することを防止できる。さらに、第１及び第２の固定部１１，１２が、蓋体３の表面に交差する方向に沿って、蓋体３が箱本体２から離れることを防止するので、蓋体３が箱本体２から脱落することを防止できる。
【００５９】
第１の固定部１１が貫通溝１３と立設片１６を備えているので、第１の固定部１１が蓋体３のスライド方向を確実に案内でき、該蓋体３を箱本体２に確実に取り付けることができる。また、第１の固定部１１が立設片１６から延在した板片１７を備えているので、第１の固定部１１が蓋体３の表面に交差する方向に沿って、蓋体３が箱本体２から離れることを確実に防止でき、蓋体３が箱本体２から脱落することを確実に防止できる。
【００６０】
また、第１の固定部１１の貫通溝１３がテーパ面１５を備えているので、蓋体３と箱本体２とが位置ずれしても、立設片１６が、テーパ面１５に接触して、該テーパ面１５に案内されて、確実に貫通溝１３内に案内される。これにより、貫通溝１３内に立設片１６を挿入し易くなる。したがって、蓋体３を容易に箱本体２に取り付けることができる。
【００６１】
第２の固定部１２が、互いに交差する方向に突出した一対の突起１９ａ，１９ｂと、突起１９ａ，１９ｂが侵入する一対の孔１８ａ，１８ｂとを少なくとも備えている。このため、第２の固定部１２が、蓋体３を箱本体２に取り付けると該蓋体３が更に矢印Ｓに沿ってスライドすることを確実に規制でき、蓋体３が箱本体２から脱落することを確実に防止できる。
【００６２】
前述した実施形態では、蓋体３の一端部３ａに貫通溝１３を設け、箱本体２の一端部２ａに押さえ部１４を設けている。しかしながら、本発明では、図１２及び図１３に示すように、蓋体３の一端部３ａに押さえ部１４を設け、箱本体２の一端部２ａに貫通溝１３を設けても良い。なお、図１２及び図１３中で、前述した実施形態と同一部分には、同一符号を付して説明を省略する。
【００６３】
図１２及び図１３に示す場合では、蓋体３を箱本体２に取り付けると、蓋体３の一端部３ａは箱本体２の一端部２ａの外側に重なる。図１２及び図１３に示す場合では、貫通溝１３は、フランジ壁６に設けられ、矢印Ｓに沿って延在しているとともに、矢印Ｓの一方の端が開口している。押さえ部１４の立設片１６は、蓋体３の一端部３ａから箱本体２の内側則ち箱本体２に向かって延在している。板片１７は、蓋体３と平行でかつ該蓋体３と間隔をあけて配されている。板片１７は、蓋体３の表面と平行に立設片１６から延在している。
【００６４】
また、図１２及び図１３に示す場合においても、第１の固定部１１は、貫通溝１３の一方の端の開口を通して、貫通溝１３内に立設片１６を挿入し、蓋体３と板片１７との間に箱本体２のフランジ壁６を位置付けて、蓋体３を箱本体２に取り付ける。そして、第１の固定部１１は、貫通溝１３内に立設片１６を挿入して、蓋体３の箱本体２に対するスライド方向を案内する。第１の固定部１１は、蓋体３が箱本体２に取り付けられると、矢印Ｓに沿って蓋体３が箱本体２に対し更にスライドすることを許容し、蓋体３の表面に交差する方向に沿って、箱本体２から蓋体３が離れることを規制する。
【００６５】
また、前述した実施形態では、孔１８ａ，１８ｂを蓋体３の他端部３ｂに設け、突起１９ａ，１９ｂを箱本体２の他端部２ｂに設けている。しかしながら、本発明では、図１４に示すように、孔１８ａ，１８ｂを箱本体２の他端部２ｂに設け、突起１９ａ，１９ｂを蓋体３の他端部３ｂに設けても良い。なお、図１４中で、前述した実施形態と同一部分には、同一符号を付して説明を省略する。
【００６６】
図１４に示す場合では、一方の孔１８ａは、フランジ壁６の表面から凹に形成され、他方の孔１８ｂは、周壁５ａの表面から凹に形成されている。また、一方の突起１９ａは、蓋体３の本体部９から箱本体２に向かって突出し、他方の突起１９ｂは、蓋体３の立設板部１０から箱本体２に向かって突出している。
【００６７】
図１４に示す場合では、第２の固定部１２の突起１９ａ，１９ｂは、蓋体３から互いに交差する方向に突出し、かつ蓋体３を箱本体２に取り付けると、孔１８ａ，１８ｂ内に侵入する。図１４に示す場合においても、第２の固定部１２の突起１９ａ，１９ｂは、蓋体３が箱本体２に取り付けられると蓋体３が矢印Ｓに沿って更にスライドすることを規制し、かつ蓋体３の表面に交差する方向に沿って箱本体２から蓋体３が離れることを規制する。
【００６８】
また、前述した実施形態では、電源装置を構成する箱体１を示している。しかしながら、本発明にかかる箱体は、電源装置に限定されることなく種々の機器や装置を構成しても良い。
【００６９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７０】
【図１】本発明の一実施形態にかかる箱体の一部を示す分解斜視図である。
【図２】図１に示された箱体の縦断面図である。
【図３】図２中のＩＩＩ部を拡大して示す縦断面図である。
【図４】図１中のＩＶ部を拡大して示す斜視図である。
【図５】図３中のＶ−Ｖ線に沿う断面図である。
【図６】図３中のＶＩ−ＶＩ線に沿う断面図である。
【図７】図２中のＶＩＩ部を拡大して示す縦断面図である。
【図８】図２に示された箱体の箱本体に蓋体を取り付ける前の縦断面図である。
【図９】図８に示された状態の第１の固定部を示す斜視図である。
【図１０】図３に示された蓋体が小さくなりすぎた状態を示す縦断面図である。
【図１１】図３に示された蓋体が大きくなりすぎた状態を示す縦断面図である。
【図１２】図９に示された第１の固定部の変形例を示す斜視図である。
【図１３】図１２に示された第１の固定部の変形例の断面図である。
【図１４】図７に示された第２の固定部の変形例を示す縦断面図である。
【図１５】従来の箱体の一部を示す分解斜視図である。
【図１６】図１５中のＸＶＩ−ＸＶＩ線に沿う断面図である。
【符号の説明】
【００７１】
１  箱体
２  箱本体
２ａ  一端部
２ｂ  他端部
３  蓋体
３ａ  一端部
３ｂ  他端部
４  スライド取付手段
７  開口部
１１  第１の固定部
１２  第２の固定部
１３  貫通溝
１４  押さえ部
１５  テーパ面
１６  立設片
１７  板片
１８ａ，１８ｂ  孔
１９ａ，１９ｂ  突起
Ｓ  スライド方向
【図１】
2006117292.tif 000003
【図２】
2006117292.tif 000004
【図３】
2006117292.tif 000005
【図４】
2006117292.tif 000006
【図５】
2006117292.tif 000007
【図６】
2006117292.tif 000008
【図７】
2006117292.tif 000009
【図８】
2006117292.tif 000010
【図９】
2006117292.tif 000011
【図１０】
2006117292.tif 000012
【図１１】
2006117292.tif 000013
【図１２】
2006117292.tif 000014
【図１３】
2006117292.tif 000015
【図１４】
2006117292.tif 000016
【図１５】
2006117292.tif 000017
【図１６】
2006117292.tif 000018